(57)【要約】【課題】２号消火栓装置に於いて、放水時の反動を小さくすると共にノズルの操作性を高め消火栓装置をより取り扱い易いものにする。【解決手段】箱状の本体２及び本体２の前面の開口を開閉する蓋体３からなる消火栓箱１と、消火栓箱１の内部に配設されたバルブ４と、バルブ４に接続された長尺の保形ホース５と、保形ホース５の先端に接続されたノズル７とを備えた消火栓装置に於いて、前記ノズル７の近傍の短尺ホース５ｘと保形ホース５との間に減圧アダプター８を介在させる。【選択図】      図３
2004236918.tif 000002
【特許請求の範囲】
【請求項１】
箱状の本体及び本体の前面の開口を開閉する蓋体からなる消火栓箱と、消火栓箱の内部に配設されたバルブと、このバルブに接続された長尺の保形ホースと、この保形ホースの先端に接続された開閉装置付ノズルとを備えた消火栓装置において、前記ノズルの近傍の短尺ホースと保形ホースの間に減圧アダプターが介在されていることを特徴とする消火栓装置。
【請求項２】
ノズルと減圧アダプター間の長さが１００ｍｍ〜１５００ｍｍの範囲内とした請求項１に記載の消火栓装置。
【請求項３】
ノズルを噴出放水量の調整可能な開閉型噴霧ノズルとした請求項１又は請求項２に記載の消火栓装置。
【発明の詳細な説明】
【０００１】
【発明の属する技術分野】
本発明は、箱状の本体及び本体の前面の開口を開閉する蓋体からなる消火栓箱と、消火栓箱の内部に配設されたバルブと、このバルブに接続された長尺の保形ホースと、この保形ホースの先端に接続された放水ノズルとを備えた所謂一人操作型消火栓装置の改良に関するものである。
【０００２】
【従来の技術】
図６に示す従来の１号消火栓装置では、消火栓箱１０１の内部にバルブ１０２が配設されていて、このバルブ１０２に長尺の折り畳み可能なフラットホース１０３が接続され、その先端にノズル１０４が接続されている。
ところで、この消火栓装置ではポンプ側の水圧が高い場合には、バルブ１０２やホース１０３の適宜個所に減圧アダプターを挿入し、水路を狭くすることによって、フラットホース１０３にかかる水圧とノズルからの放水量を減少させるようにしている。しかし、前記ノズル１０４の先端が常に開放状態にあるため、消火活動に際しては、バルブ１０２を操作する人と、ノズル１０４を持って放水する人の少なくとも２人以上の人を必要とするという問題があった。
【０００３】
また、図７に示す従来の一人操作型消火栓装置では、一人操作を可能とするために、ノズル２０１に開閉装置２０２を取り付けると共にホースとして保形ホース２０３を使用し、バルブ２０４を開いてもすぐには水が放水されない構造として、火元まで保形ホース２０３を引っ張り出してから、開閉装置２０２を開いてノズル２０１から放水するようにしている。
【０００４】
而して、この従来の一人操作型消火栓装置に於いても、ポンプ圧が高圧の場合には、ノズル２０１からの放水量を減少させて安全に操作できるようにするために、減圧アダプターを用いる必要がある。しかし、減圧アダプターの挿入箇所によっては、以下に述べるような不都合が生じる。
【０００５】
即ち、ポンプ側の水圧が１．６ＭＰａで、且つ減圧装置を通過した後の放水時の水圧が０．３５ＭＰａであるとすると、
（１）バルブ２０４とホース２０３との間に減圧アダプターを入れると以下の問題が発生する。
ノズルの開閉装置２０１を閉め切ると保形ホース２０３の水圧は１．６ＭＰａとなり、また、ノズル２０２の解放時は保形ホース２０３内の水圧が０．３５ＭＰａとなる。このことにより、ノズル２０２の解放時に保形ホース２０３内の水圧が下がるまでの間は高圧放水となり、ノズル操作者の受ける反動力が大きくなる。また、保形ホース２０３内の圧力変化が大きいため、急激に保形ホース２０３が伸び縮みし、ノズルの開閉装置２０１の開閉により、ノズル操作は引張られたり、押出されたりする。
（２）ノズル２０２とホース２０３との間に減圧アダプターを入れると以下の問題が発生する。
保形ホース２０３内の水圧は、ノズル２０１の開閉により大きく変化することはないが、放水中の保形ホース２０３内の水圧が高いために保形ホース２０３が非常に固くなり、ノズル２０１の方向を変える時に、保形ホース２０３内の水圧により大きな抵抗を受けることになる。
【０００６】
【発明が解決しようとする課題】
本発明は、上記した問題を解消し、放水時の反動を小さくしたり、ノズルの操作性を高めることにより、操作性を大幅に高めた一人操作型消火栓装置を提供することを目的とするものである。
【０００７】
【課題を解決するための手段】
上記目的を達成するため、請求項１の発明は、箱状の本体及び本体の前面の開口を開閉する蓋体からなる消火栓箱と、消火栓箱の内部に配設されたバルブと、このバルブに接続された長尺の保形ホースと、この保形ホースの先端に接続された開閉装置付ノズルとを備えた消火栓装置において、前記ノズルの近傍の短尺ホースと保形ホースとの間に減圧アダプターが介在されていることを発明の基本構成とするものである。
【０００８】
請求項２の発明は、請求項１の発明に於いて、ノズルと減圧アダプター間の長さが１００ｍｍ〜１５００ｍｍの範囲内としたものである。
【０００９】
請求項３の発明は、請求項１及び請求項２の発明に於いて、ノズルを噴出放水量の調整可能な開閉型噴霧ノズルとしたものである。
【００１０】
【発明の実施の形態】
以下、本発明に係る消火栓装置の実施の形態について、図を参照しつつ説明する。
図１は本発明に係る消火栓装置の実施形態における保形ホースに減圧アダプターを接続するときの正面図、図２は同装置に用いる減圧アダプターの一部を断面した側面図、図３は同装置における減圧アダプターを接続した状態の斜視図、図４は図３の状態から保形ホースを引き出した状態の斜視図、図５は同装置におけるノズルの部分拡大側面図である。
【００１１】
本実施形態の消火栓装置は、図１、図３に示すように、箱状の本体２とこの本体２を開閉する蓋体３を有する消火栓箱１と、消火栓箱１の内部に設けたバルブ４と、このバルブ４に接続され、消火栓箱１の内部に巻き込み収納した保形ホース５とから形成されている。
また、保形ホース５の先端に接続した短尺ホース５ｘの先端には、噴出放水量を調節することが可能な噴霧ノズル６を備えたノズル７が接続されている。尚、当該開閉型噴霧ノズル６は必要に応じて設けられるものである。
【００１２】
更に、保形ホース５の前記ノズル７からバルブ４側に１００ｍｍ〜１５００ｍｍの範囲の位置には、減圧アダプター８が着脱自在に介在されている。
この減圧アダプター８は、図２に示すように、内部に雌ねじ部９ａを有する雌ねじ本体９とこの雌ねじ本体９の先端側の内部にＯリング１０を介して接続され、先端に雄ねじ部１１ａを有する雄ねじ本体１１と、雌ねじ本体９の雌ねじ部９ａ内に配設されたパッキン１２と、雌ねじ本体９と雄ねじ本体１１の対向部の内方に配設されたオリフィス１３とから構成されている。尚、当該減圧アダプター８は、図２に記載のものに限定されるものではなく、他の減圧アダプターであってもよいことは勿論である。
【００１３】
前記、短尺ホース５ｘは、保形ホース５をノズル７からバルブ４側に１００ｍｍ〜１５００ｍｍ離れた箇所で切断することにより形成されており、当該短尺ホース５ｘの切断側後端に設けられた雌ねじ部材５ａに減圧アダプター８の雄ねじ部１１ａを、また、保形ホース５の先端の雄ネジ部材５ｂに減圧アダプター８の雌ねじ部９ａを螺合させることにより、減圧アダプター８を着脱自在に介在させた状態でノズル７側の短尺ホース５ｘとバルブ４側の保形ホース５とが接続されている。
【００１４】
短尺ホース５ｘ及び保形ホース５は、通常の状態では図３に示すように、消火栓箱１の内部にノズル７と一緒に巻き込んだ状態で収納されていて、放水時には図４に示すように、短尺ホース５ｘ、ノズル７及び保形ホース５が消火栓箱１から外側に引き延ばされる。
そして、図４に示すように、ノズル７と短尺ホース５ｘとが引き延ばされると、火元に向けてノズル７から放水が行なわれる。
【００１５】
このとき、バブル４と減圧アダプター８間の保形ホース５内の水圧は、ノズル７の開閉により大きく変化せず、放水中の保形ホース５内の水圧が高い（ポンプ圧とほぼ同等）ために、保形ホース５は非常に固くなる。しかし、減圧アダプター８とノズル７間の短尺ホース５ｘは低圧（０．３５ＭＰａ）となるため、ノズル７の操作性が格段に向上する。
【００１６】
また、減圧アダプター８とノズル７間の短尺ホース５ｘは、放水時には水圧・水量とも低下する為、バルブ４と減圧アダプター８間の保形ホース５より細いホースを使用する事が可能となり、より扱い易く且つホースの収納もし易くなる。尚、減圧アダプター８とノズル７間は、短尺ホース５ｘに替えて折り畳み可能な非保形ホース（フラットホース）等の短尺ホースを用いてもよい。
【００１７】
上記のように、本実施形態の消火栓装置によれば、放水するときの反動力を小さくすることができると共にノズル７の操作性を良くすることができて扱い易く、しかも保形ホース５や短尺ホース５ｘの収納が行い易くなる。
【００１８】
【発明の効果】
以上説明したように、請求項１に記載の発明は、箱状の本体及び本体の前面の開口を開閉する蓋体からなる消火栓箱と、消火栓箱の内部に配設されたバルブと、このバルブに接続された長尺の保形ホースと、この保形ホースの先端に接続された開閉装置付ノズルとを備えた消火栓装置において、前記ノズルの近傍の短尺ホースと保形ホースの間に減圧アダプターが介在されているので、以下に述べる効果を奏する。
【００１９】
即ち、保形ホース及び短尺ホースが引き延ばされた状態で火元に向けてノズルから放水されるとき、バブルと減圧アダプター間の保形ホースは、放水中も内部水圧が高い為に非常に固くなる。しかし、減圧アダプターとノズル間の短尺ホースは内部水圧が低圧（０．３５ＭＰａ）となっているため、ノズルの操作性が格段に向上する。
【００２０】
また、減圧アダプターとノズル間の短尺ホースは、放水時には水圧・水量とも低下する為、バルブと減圧アダプター間の保形ホースより細いホースを使用する事も可能となり、より扱い易く且つホースの収納もし易くなる。その結果、放水時の消火活動者に与える反動を小さくすることができると共に、ノズルの操作性を良くすることができ、更に扱い易くて短尺ホースや保形ホースの収納も容易に行なえる。
【００２１】
請求項２に記載の発明は、ノズルと減圧アダプター間の長さが１００ｍｍ〜１５００ｍｍの範囲内であるので、ノズルの取り扱いが最も容易になると共に、減圧効果も十分に発揮されることになる。また、ノズルと減圧アダプター間の短尺ホースとして、折り畳みが自在なフラットホースを使用した場合には、ノズルを取り付けしたホース先端部の折り曲げが容易になり、取り扱い性が一層向上する。
【００２２】
請求項３に記載の発明は、ノズルの先端に噴出放水量を調整可能な開閉型噴霧ノズルが接続されているので、噴出放水の形態や放水量を火元の違いによって選択することができ、より有効な消火活動を行なえると共に、この噴霧ノズルを開閉するだけで、放水や放水停止を簡単に行うことができる。
【図面の簡単な説明】
【図１】本発明に係る消火栓装置の実施形態における保形ホースに減圧アダプターを接続する状態を正面図である。
【図２】同装置に用いる減圧アダプターの一部を断面した側面図である。
【図３】同装置における減圧アダプターを接続した状態の斜視図である。
【図４】図３の状態から保形ホースを引き出した状態の斜視図である。
【図５】同装置におけるノズルの部分拡大側面図である。
【図６】従来の折り畳み可能な非保形ホース（フラットホース）を用いた消火栓装置の正面図である。
【図７】従来の保形ホースを用いた消火栓装置の正面図である。
【符号の説明】
１  消化栓箱
２  本体
３  蓋体
４  バルブ
５  保形ホース
５ｘ  短尺ホース
６  噴霧ノズル
７  ノズル
８  減圧アダプター
１３  オリフィス
１５  放水圧力測定器
【図１】
2004236918.tif 000003
【図２】
2004236918.tif 000004
【図３】
2004236918.tif 000005
【図４】
2004236918.tif 000006
【図５】
2004236918.tif 000007
【図６】
2004236918.tif 000008
【図７】
2004236918.tif 000009